(57)【特許請求の範囲】
【請求項１】
略矩形状の断面を有する支柱と、前記支柱に取り付けられる支柱アタッチメントと、前記支柱の上端に設けられた手摺笠木と、前記支柱の屋外側に支持された手摺材とを備え、
前記支柱アタッチメントは、前記支柱の屋外面に対向する屋外面対向部と、前記支柱の一対の見込み面にそれぞれ対向する一対の見込み面対向部とを備え、
前記屋外面対向部には、前記一対の見込み面対向部および前記支柱の上端よりも上方に延設した延設部が一体的に設けられ、
前記支柱アタッチメントの下端から前記延設部の上端までの高さ寸法は、前記支柱の高さ寸法よりも小さく設定され、
前記支柱アタッチメントは、その下端が前記支柱の下端よりも上方に位置するように前記支柱に取り付けられ、
前記手摺材は、前記支持アタッチメントに支持された複数の格子材によって構成され、
前記格子材のうちの最上段の格子材は、前記手摺笠木の屋外側に位置するように、前記延設部により支持される屋外立設物。
【請求項２】
前記延設部の上端の位置が前記支柱の上端と同じ位置、または、前記支柱の上端よりも下側の位置となるように、前記支柱アタッチメントを前記支柱に取付可能な構造を有する請求項１に記載の屋外立設物。
【請求項３】
前記支柱アタッチメントの下側に取り付けられ、前記支柱の屋外面を隠蔽する下側隠蔽アタッチメントを備える請求項１または請求項２に記載の屋外立設物。
【請求項４】
前記手摺材は、前記屋外面対向部の屋内側から挿通される手摺材固定部材により前記支柱アタッチメントに固定され、
前記支柱アタッチメントは、前記手摺材固定部材を配置可能な隙間が前記屋外面対向部と前記支柱との間に形成されるように、前記支柱に取り付けられ、
前記支柱アタッチメントの上端には、当該支柱アタッチメントの小口を隠す小口隠しキャップが設けられる請求項１から請求項３のいずれかに記載の屋外立設物。
【発明の詳細な説明】
【技術分野】
【０００１】
本発明は、屋外立設物に関し、詳しくは、支柱の上端に設けられた手摺笠木と、支柱の屋外側に支持された手摺材とを備える屋外立設物に関する。
【背景技術】
【０００２】
従来、バルコニーの屋外側に立設した支柱の屋外面にパネルなどの手摺材を設けるとともに、支柱の上端に手摺笠木を設ける構成が知られている（例えば、特許文献１参照）。
この特許文献１には、手摺笠木の屋外側部分が手摺材の上側に位置し、手摺笠木が屋外から見えるような構成が開示されている。
【先行技術文献】
【特許文献】
【０００３】
【特許文献１】特許平１０−２６６５１２号公報
【発明の概要】
【発明が解決しようとする課題】
【０００４】
ところで、近年、ユーザの好みの多様化に伴い、特許文献１に記載のような手摺笠木が屋外から見え易いデザインではなく、手摺笠木が屋外から見え難いデザインが求められる場合がある。
しかしながら、特許文献１のような構成を用いて、手摺笠木が屋外から見え難いデザインを実現するためには、支柱の形状を変更する必要がある。
【０００５】
本発明の目的は、支柱の形状を変更することなく、手摺笠木が屋外から見え難いデザインを実現可能な屋外立設物を提供することにある。
【課題を解決するための手段】
【０００６】
本発明の屋外立設物は、略矩形状の断面を有する支柱と、前記支柱に取り付けられる支柱アタッチメントと、前記支柱の上端に設けられた手摺笠木と、前記支柱の屋外側に支持された手摺材とを備え、前記支柱アタッチメントは、前記支柱の屋外面に対向する屋外面対向部と、前記支柱の一対の見込み面にそれぞれ対向する一対の見込み面対向部とを備え、前記屋外面対向部には、前記一対の見込み面対向部および前記支柱の上端よりも上方に延設した延設部が一体的に設けられ、前記支柱アタッチメントの下端から前記延設部の上端までの高さ寸法は、前記支柱の高さ寸法よりも小さく設定され、前記支柱アタッチメントは、その下端が前記支柱の下端よりも上方に位置するように前記支柱に取り付けられ、前記手摺材は、前記支持アタッチメントに支持された複数の格子材によって構成され、前記格子材のうちの最上段の格子材は、前記手摺笠木の屋外側に位置するように、前記延設部により支持されることを特徴とする。
【０００７】
ここで、屋外立設物としては、バルコニー、テラス、ベランダ、集合住宅の廊下、外階段などに用いられる手摺が例示できる。さらに、手摺材としては、縦格子や横格子などの手摺子、網入りガラスや金属板あるいはパネルなどの手摺壁、金網などが例示できる。また、支柱アタッチメントとしては、屋外面対向部と一対の見込み面部とを有する断面略コ字状の部材で構成して、屋外側から支柱に取り付ける構成としてもよい。また、支柱アタッチメントとしては、屋外面対向部と、一対の見込み面部と、屋外面対向部と対向する板状部とを有する断面略ロ字状の部材で構成して、上側から支柱に挿通して取り付ける構成としてもよい。
【０００８】
本発明によれば、屋外立設物は、支柱に取り付けられる支柱アタッチメントを備えている。また、支柱アタッチメントの屋外面対向部に、一対の見込み面対向部および支柱よりも上方に延設した延設部を設けている。そして、手摺笠木を支柱の上端面に設けるとともに、手摺材を手摺笠木の屋外側に位置するように延設部で支持している。
このため、支柱を変更することなく、支柱アタッチメントを介して手摺材を支柱に取り付けるだけの簡単な構成で、手摺材を支持している延設部の屋内側に手摺笠木を位置させることができ、手摺笠木が屋外から見え難いデザインを実現できる。
【０００９】
本発明によれば、支柱アタッチメントの製造時の押出成形などにより、屋外面対向部と延設部とを一体的に形成することができる。
また、支柱アタッチメントの下端から延設部の上端までの高さ寸法を支柱よりも小さくしているため、延設部が支柱の上端から突出するように支柱アタッチメントを取り付けることで、上述したように、手摺笠木が屋外から見え難いデザインを実現できる。その一方で、延設部が支柱の上端よりも下側に位置するように支柱アタッチメントを取り付ければ、手摺材が手摺笠木よりも下側に位置することとなり、手摺笠木が屋外から見え易いデザインを実現できる。したがって、共通の部材を用いて、支柱アタッチメントの取り付け位置を変更するだけの簡単な構成で、屋外立設物のデザインを変更できる。
【００１０】
本発明の屋外立設物では、前記延設部の上端の位置が前記支柱の上端と同じ位置、または、前記支柱の上端よりも下側の位置となるように、前記支柱アタッチメントを前記支柱に取付可能な構造を有することが好ましい。
ここで、上述のように支柱アタッチメントを支柱に取付可能な構造としては、例えば、ビスを介して支柱アタッチメントを支柱に取り付ける構成の場合、延設部が支柱の上端よりも上方に位置するように支柱アタッチメントを取り付けるためのビス孔と、延設部の上端が支柱の上端と同じ位置または下側に位置するように支柱アタッチメントを取り付けるためのビス孔とを形成できるような材料で、支柱を構成することが例示できる。
本発明によれば、共通の部材を用いて、支柱アタッチメントの取り付け位置を変更するだけの簡単な構成で、屋外立設物のデザインを変更できる。
【００１１】
本発明の屋外立設物では、前記支柱アタッチメントの下側に取り付けられ、前記支柱の屋外面を隠蔽する下側隠蔽アタッチメントを備えることが好ましい。
ここで、手摺笠木を屋外から見え難くするために、延設部が支柱の上端から突出するように支柱アタッチメントを取り付ける場合には、支柱の下端側には屋外面対向部が位置しないこととなり、支柱の屋外面が露出してしまう。
本発明によれば、延設部が支柱の上端から突出するように支柱アタッチメントを取り付けるとともに、支柱アタッチメントの下側に下側隠蔽アタッチメントを取り付けることで、支柱の屋外面全体を隠すことができ、手摺笠木が屋外から見え難いデザインでの意匠性を向上できる。
なお、下側隠蔽アタッチメントとしては、支柱アタッチメントと同様の断面略コ字状あるいは断面略ロ字状のものを用いてもよい。
【００１２】
本発明の屋外立設物では、前記手摺材は、前記屋外面対向部の屋内側から挿通される手摺材固定部材により前記支柱アタッチメントに固定され、前記支柱アタッチメントは、前記手摺材固定部材を配置可能な隙間が前記屋外面対向部と前記支柱との間に形成されるように、前記支柱に取り付けられ、前記支柱アタッチメントの上端には、当該支柱アタッチメントの小口を隠す小口隠しキャップが設けられることが好ましい。
本発明によれば、手摺材固定部材を屋外面対向部の屋内側から挿通させるだけの簡単な方法で、手摺材を支柱アタッチメントに固定することができる。
また、このように手摺材が固定された支柱アタッチメントを支柱に取り付けるためには、屋外面対向部と支柱との間に、手摺材固定部材を配置するための隙間を設ける必要がある。本発明では、支柱アタッチメントの上端の小口を隠す小口隠しキャップを設けることで、小口で手が傷ついたり、隙間内にゴミが入ることを抑制できる。特に、延設部を支柱の上端から突出させて手摺笠木が屋外から見え難いデザインとする場合には、支柱アタッチメントの上方に他の部材が位置しないこととなるため、小口隠しキャップが上記の効果をより発揮することができるとともに、意匠性を向上できる。
【図面の簡単な説明】
【００１３】
【図１】本発明の第１実施形態に係る手摺笠木隠蔽タイプの手摺の正面図。
【図２】前記手摺笠木隠蔽タイプの手摺の縦断面図。
【図３】前記手摺笠木隠蔽タイプの手摺の横断面図。
【図４】図２の部分拡大図。
【図５】前記第１実施形態に係る手摺笠木非隠蔽タイプの手摺の正面図。
【図６】前記手摺笠木非隠蔽タイプの手摺の縦断面図。
【図７】前記手摺笠木非隠蔽タイプの手摺の横断面図。
【図８】図６の部分拡大図。
【図９】本発明の第２実施形態に係る手摺笠木非隠蔽タイプの手摺の正面図。
【図１０】前記手摺笠木非隠蔽タイプの手摺の縦断面図。
【図１１】前記第２実施形態に係る手摺笠木隠蔽タイプの手摺の正面図。
【図１２】前記手摺笠木隠蔽タイプの手摺の縦断面図。
【図１３】前記手摺笠木隠蔽タイプの手摺の屋内側からの縦断面図。
【図１４】本発明の変形例に係る手摺笠木隠蔽タイプの手摺の要部の縦断面図。
【図１５】前記手摺笠木隠蔽タイプの手摺の屋内側からの縦断面図。
【図１６】本発明の他の変形例に係る手摺笠木非隠蔽タイプの手摺の正面図。
【図１７】前記手摺笠木非隠蔽タイプの手摺の縦断面図。
【発明を実施するための形態】
【００１４】
［第１実施形態］
まず、本発明の第１実施形態を図面に基づいて説明する。
図１および図２に示すように、屋外立設物としての手摺笠木隠蔽タイプの手摺１は、バルコニーの床やパラペットなどの躯体２に、互いに間隔を隔てて立設された複数の支柱３と、当該複数の支柱３にそれぞれ取り付けられる支柱アタッチメント４と、当該支柱アタッチメント４の下端に設けられ支柱３の下方を隠蔽する下側隠蔽アタッチメント５と、支柱アタッチメント４を介して複数の支柱３にわたって設けられた手摺材としての横格子６と、複数の支柱３の上端間にわたって設けられた手摺笠木７と、支柱アタッチメント４の上端の小口を隠す小口隠しキャップ９とを備えている。
【００１５】
躯体２には、支柱補強部材８の座部８１がボルト８２にて固定されている。また、躯体２には、当該躯体２を覆う下笠木８３が設けられている。
支柱３は、中空部３１を有する例えばアルミニウム製の押出成形部材であり、中空部３１が支柱補強部材８に挿入されて、屋内面３２に挿通されたビス３５により支柱補強部材８に固定されている。
また、支柱３の上端には、図３および図４にも示すように、手摺笠木７を固定するための略長方形板状の固定部材３６が設けられている。この固定部材３６は、見付け寸法が支柱３よりも大きく、かつ、見込み寸法が支柱３と略等しい形状を有している。そして、固定部材３６は、４個のビス３７が中空部３１内に設けられたビスホール３８に螺合されることにより、支柱３に固定されている。また、支柱３の見込み面３４には、後述するビス４９が螺合される図示しないビス孔が設けられている。
【００１６】
支柱アタッチメント４は、断面略コ字状の例えばアルミニウム製の押出成形部材であり、高さ方向に延びる細長い長方形板状の屋外部４１と、当該屋外部４１の幅方向の両側縁から見込み方向に延びる一対の見込み面対向部４２とを備えている。
屋外部４１は、その高さ寸法が見込み面対向部４２の高さ寸法よりも大きく、かつ、支柱３の高さ寸法よりも小さい形状に形成されている。この屋外部４１は、見込み面対向部４２と同じ高さ寸法の屋外面対向部４３と、当該屋外面対向部４３の上方に延設した屋外側延設部４４とから構成されている。
見込み面対向部４２の上端には、屋外面対向部４３側の端部から屋外側延設部４４と同じ高さだけ上方に延設した見込み面側延設部４５が設けられている。
そして、支柱アタッチメント４は、見込み面対向部４２の高さ方向の複数箇所に挿通されたビス４９により支柱３に固定されている。具体的に、支柱アタッチメント４は、屋外面対向部４３と支柱３の屋外面３３との間に隙間Ｓが形成され、支柱アタッチメント４の下端が下笠木８３から離れるように固定されている。このように支柱アタッチメント４が固定されると、屋外側延設部４４および見込み面側延設部４５が支柱３の上端から上方に突出し、見込み面対向部４２の上端が支柱３の上端とほぼ同じ高さに位置することとなる。
【００１７】
下側隠蔽アタッチメント５は、支柱アタッチメント４の下端と下笠木８３との間から露出する支柱３の下端部を隠蔽するものである。下側隠蔽アタッチメント５は、支柱アタッチメント４と断面形状が略等しい略コ字状を有し、支柱アタッチメント４と同一の材料あるいは異なる材料により形成されている。下側隠蔽アタッチメント５は、下屋外面対向部５１と、一対の下見込み面対向部５２とを備え、下見込み面対向部５２に挿通されたビス５９により支柱３に固定されている。具体的に、下側隠蔽アタッチメント５は、その上端が支柱アタッチメント４の下端に当接し、その下端が下笠木８３に当接し、下屋外面対向部５１が屋外部４１と同一面上に位置し、下見込み面対向部５２が見込み面対向部４２と同一面状に位置するように固定されている。
【００１８】
横格子６は、複数の格子材６１から構成されている。格子材６１は、屋外部４１の屋内側から挿通された手摺材固定部材としてのビス６８により、支柱アタッチメント４の屋外側延設部４４から支柱アタッチメント４の下端にかけての複数箇所に固定されている。このビス６８のビス頭６９（ビス６８の屋内側端部）は、屋外部４１からの突出寸法（見込み寸法）が隙間Ｓおよび見込み面側延設部４５の見込み寸法よりも小さい形状を有している。
【００１９】
小口隠しキャップ９は、ビス４９により支柱アタッチメント４の一対の見込み面対向部４２と支柱３の見込み面３４との間にそれぞれ固定される一対の被固定部９１と、当該一対の被固定部９１の上端から見込み面対向部４２の上端縁に沿って屋外方向にそれぞれ延びる一対のキャップ延出部９２と、当該一対のキャップ延出部９２の屋外側先端部を連結する四角板状の連結部９３と、当該連結部９３の屋外側端縁から立ち上がる四角板状の立上部９４と、立上部９４の上端縁から屋外側に延びる四角板状のキャップ上端面閉塞部９５とを備えている。
そして、小口隠しキャップ９は、キャップ上端面閉塞部９５が支柱アタッチメント４の屋外側延設部４４および一対の見込み面側延設部４５の上端縁に当接し、立上部９４が一対の見込み面側延設部４５の屋内側端縁に当接し、連結部９３が一対の見込み面対向部４２の上端縁に当接するように、支柱３に固定されている。
このように小口隠しキャップ９を固定することで、支柱アタッチメント４の上端の小口が隠され、隙間Ｓ内に水やゴミが入ることを抑制できる。
【００２０】
手摺笠木７は、略板状の上面部７１と、当該上面部７１と対向する下面部７２と、互いに対向する第１見付け面部７３および第２見付け面部７４とを備え、断面略長方形状に形成されている。
下面部７２における第１見付け面部７３側には、上面部７１側に凹む凹部７５が設けられている。この凹部７５には、ナット７８が落下しないように収容されるナット収容部７６が設けられている。
そして、手摺笠木７は、凹部７５が固定部材３６に嵌め込まれるとともに、下側から固定部材３６に挿通されたボルト７９がナット７８に螺合されることで、第１見付け面部７３が屋外側に位置し、第２見付け面部７４が屋内側に位置するように、支柱３に固定されている。具体的に、手摺笠木７は、第１見付け面部７３が小口隠しキャップ９の立上部９４に当接し、下面部７２における凹部７５よりも第１見付け面７３側の部分が連結部９３に当接するように固定されている。このように手摺笠木７が設けられることで、手摺笠木７が横格子６を構成する格子材６１の屋内側に位置することとなり、手摺笠木７が屋外から見え難くなる。
なお、前記実施形態の手摺笠木７は、第１見付け面部７３が小口隠しキャップ９の立上部９４に、下面部７２における凹部７５よりも第１見付け面７３側の部分が連結部９３に当接しているが、これに限ることなく、若干の隙間を設けても良い。
【００２１】
また、上記手摺１を構成する部材のうち、下側隠蔽アタッチメント５を用いないことで、図５および図６に示すような屋外立設物としての手摺笠木非隠蔽タイプの手摺１Ａを施工することもできる。
【００２２】
手摺１Ａの支柱アタッチメント４は、屋外面対向部４３と支柱３との間に隙間Ｓが形成され、当該支柱アタッチメント４の下端が下笠木８３に当接するように支柱３に固定されている。このように支柱アタッチメント４が固定されると、屋外側延設部４４および見込み面側延設部４５が支柱３の上端よりも下方に位置することとなる。なお、支柱アタッチメント４の見込み面対向部４２に挿通するビス４９の高さ位置は、手摺１と同じであり、支柱３の見込み面３４のビス孔の位置を低くすることで、支柱アタッチメント４の固定位置を下方に変更している。
小口隠しキャップ９は、手摺１の場合と同様の状態で支柱３に固定されている。
手摺笠木７は、第２見付け面部７４が屋外側に位置するとともに、第１見付け面部７３が屋内側に位置するように、手摺１に用いられる場合と同様の方法で支柱３に固定されている。このように手摺笠木７が設けられることで、手摺笠木７が格子材６１の上方に位置することとなり、手摺笠木７が屋外から見易くなる。
なお、手摺１Ａでは、手摺笠木７と小口隠しキャップ９とが離れているが、キャップ上端面閉塞部９５、立上部９４、連結部９３が支柱アタッチメント４の上端部に当接するように、小口隠しキャップ９が設けられているため、隙間Ｓ内に水やゴミが入ることを抑制できる。
【００２３】
次に、手摺笠木隠蔽タイプの手摺１または手摺笠木非隠蔽タイプの手摺１Ａを施工する方法について説明する。なお、以下の方法は、一例であり、可能な範囲で順序を入れ替えてもよい。
まず、手摺１を施工する場合、施工現場において、支柱３の見込み面３４にビス４９を挿通するためのビス孔を形成してから、固定部材３６を固定する。この後、当該支柱３を支柱補強部材８に固定する。なお、見込み面３４のビス孔は、支柱３の製造工場で形成されてもよい。
一方で、見込み面対向部４２にビス孔が形成された支柱アタッチメント４の屋外部４１に、横格子６を構成する格子材６１を取り付ける。
【００２４】
次に、支柱アタッチメント４に小口隠しキャップ９を載せてから、支柱アタッチメント４、小口隠しキャップ９、および、下側隠蔽アタッチメント５をビス４９，５９によって支柱３に固定して、屋外側延設部４４および見込み面側延設部４５を支柱３よりも上方に位置させる。そして、第１見付け面部７３が屋外側に位置し、第２見付け面部７４が屋内側に位置するように、手摺笠木７を支柱３に固定する。
以上により、手摺笠木７が格子材６１の屋内側に位置し、手摺笠木７が屋外から見え難い手摺１の施工が完了する。
【００２５】
一方、手摺笠木非隠蔽タイプの手摺１Ａを施工する場合、施工現場において、支柱３における手摺１の施工時とは異なる位置（手摺１の施工時よりも低い位置）にビス孔を形成する。なお、見込み面３４のビス孔は、支柱３の製造工場で形成されてもよい。そして、支柱３に固定部材３６を固定してから、当該支柱３を支柱補強部材８に固定する。
また、手摺１と同じ位置にビス孔が形成された支柱アタッチメント４に、格子材６１を取り付ける。この後、支柱アタッチメント４に小口隠しキャップ９を載せ、支柱アタッチメント４を下笠木８３に当接させてから、支柱アタッチメント４および小口隠しキャップ９をビス４９によって支柱３に固定する。
そして、第２見付け面部７４が屋外側に位置し、第１見付け面部７３が屋内側に位置するように、手摺笠木７を支柱３に固定する。
以上により、手摺笠木７が格子材６１の上方に位置し、手摺笠木７が屋外から見え易い手摺１Ａの施工が完了する。
【００２６】
以上のような第１実施形態によれば、以下の効果がある。
（１）手摺１の支柱３に取り付けられる支柱アタッチメント４に、屋外部４１と、見込み面３４に対向する一対の見込み面対向部４２とを設けるとともに、屋外部４１を支柱３の屋外面３３に対向する屋外面対向部４３と、見込み面対向部４２および支柱３よりも上方に延設した屋外側延設部４４とで構成している。そして、屋外側延設部４４で横格子６を支持して、手摺笠木７を支柱３の上端面に設けている。
このため、支柱３を変更することなく、支柱アタッチメント４を介して横格子６を支柱３に取り付けるだけの簡単な構成で、横格子６を支持している屋外部４１の屋外側延設部４４の屋内側に手摺笠木７を位置させることができ、手摺笠木７が屋外から見え難いデザインを実現できる。
【００２７】
（２）屋外面対向部４３と屋外側延設部４４とを一体的に構成している。また、支柱アタッチメント４の高さ寸法を、支柱３よりも小さくしている。そして、支柱アタッチメント４の下端が支柱３の下端よりも上方に位置するように、支柱アタッチメント４を支柱３に取り付けている。
このため、押出成形により屋外面対向部４３と屋外側延設部４４とを容易に製造できる。さらに、屋外側延設部４４が支柱３の上端から突出するように支柱アタッチメント４を取り付けるだけの簡単な方法で、手摺笠木７が屋外から見え難いデザインの手摺１を施工できる。
その一方で、屋外側延設部４４が支柱３の上端よりも下方に位置するように支柱アタッチメント４を取り付ければ、横格子６が手摺笠木７よりも下側に位置することとなり、手摺笠木７が屋外から見え易いデザインの手摺１Ａを施工できる。
したがって、共通の部材を用いて、支柱アタッチメント４の取り付け位置を変更するだけの簡単な構成で、手摺１のデザインを変更できる。
【００２８】
（３）支柱３をアルミニウムにより形成することで、手摺１または手摺１Ａの製造工場もしくは現場でビス孔を形成可能な構成としている。すなわち、屋外側延設部４４の上端が支柱３の上端よりも上方に位置するように、支柱アタッチメント４を支柱３に取付可能であるとともに、屋外側延設部４４の上端が支柱３の上端よりも下方に位置するように、支柱アタッチメント４を取付可能な構造を採用している。
このため、同じ支柱アタッチメント４を用いて、その取り付け位置を変更するだけの簡単な構成で、手摺のデザインを変更できる。
【００２９】
（４）屋外側延設部４４が支柱３よりも上方に位置するように支柱アタッチメント４を取り付けた際に、支柱アタッチメント４の下側から露出する支柱３の下端部を隠蔽する下側隠蔽アタッチメント５を設けている。
このため、支柱３の屋外面３３全体を隠すことができ、手摺笠木７が屋外から見え難いデザインの手摺１の意匠性を向上できる。
【００３０】
（５）横格子６を屋内側から挿通されるビス６８によって、支柱アタッチメント４に固定して、当該支柱アタッチメント４を支柱３との間に隙間Ｓが設けられる状態で取り付けている。そして、支柱アタッチメント４の上端の小口（隙間Ｓの上端）を隠す小口隠しキャップ９を設けている。
このため、ビス６８によって横格子６を簡単に固定できるとともに、小口隠しキャップ９によって、小口で手が傷ついたり、隙間Ｓ内にゴミが入り込んだりすることを防止できる。
【００３１】
［第２実施形態］
次に、本発明の第２実施形態を図面に基づいて説明する。
図９および図１０に示すように、屋外立設物としての手摺笠木非隠蔽タイプの手摺１Ｂは、第１実施形態の手摺笠木非隠蔽タイプの手摺１Ａと同様に手摺笠木７が屋外から見え易いデザインを有する。この手摺１Ｂは、小口隠しキャップ９を用いずに、手摺１Ａを構成する部材のうち支柱アタッチメント４の代わりに支柱アタッチメント４Ｂを用いることで施工される。
【００３２】
支柱アタッチメント４Ｂは、支柱アタッチメント４と同様の断面略コ字状の例えばアルミニウム製の押出成形部材であり、屋外面対向部４１Ｂと、一対の見込み面対向部４２とを備えている。
屋外面対向部４１Ｂの高さ寸法は、見込み面対向部４２の高さ寸法と同じである。
そして、支柱アタッチメント４Ｂは、屋外面対向部４１Ｂと支柱３の屋外面３３との間に隙間Ｓが形成され、当該支柱アタッチメント４Ｂの下端が下笠木８３に当接するように支柱３に固定されている。このように支柱アタッチメント４Ｂが固定されると、当該支柱アタッチメント４Ｂの上端が支柱３の上端と同じ高さに位置することとなる。
手摺笠木７は、第１実施形態の手摺１Ａと同じ状態で、第２見付け面部７４が屋外側に位置するとともに、第１見付け面部７３が屋内側に位置するように支柱３に固定され、当該手摺笠木７が格子材６１の上方に位置することで屋外から見え易いように設けられている。
【００３３】
また、支柱アタッチメント４Ｂを構成する部材に加えて、ピース状延設部材４３Ｃを用いるとともに、格子材６１を１本増やすことで、図１１、図１２、および、図１３に示すような屋外立設物としての手摺笠木隠蔽タイプの手摺１Ｃを施工することもできる。
【００３４】
ピース状延設部材４３Ｃは、長方形板状に形成されており、長手方向の一端側が支柱アタッチメント４Ｂの上端よりも上方に位置するように、その中央が延設部取付部材としてのビス４９Ｃによって屋外面対向部４１Ｂに固定されている。また、ピース状延設部材４３Ｃの支柱アタッチメント４Ｂから突出する上端側および下端側のそれぞれの屋外側には、ビス６８により格子材６１が固定されている。
手摺笠木７は、第１実施形態の手摺１と同じ状態で、第１見付け面部７３が屋外側に位置するとともに、第２見付け面部７４が屋内側に位置するように支柱３に固定され、当該手摺笠木７が格子材６１の屋内側に位置することで屋外から見え難いように設けられている。
【００３５】
次に、手摺笠木非隠蔽タイプの手摺１Ｂまたは手摺笠木隠蔽タイプの手摺１Ｃを施工する方法について説明する。
まず、手摺１Ｂおよび手摺１Ｃを施工するいずれの場合においても、固定部材３６を支柱３に固定した後、当該支柱３を支柱補強部材８に固定する。なお、施工対象が手摺１Ｂ、手摺１Ｃのいずれの場合においても、支柱アタッチメント４Ｂの見込み面対向部４２に挿通するビス４９の高さ位置が同じであるため、支柱３のビス孔を同じ位置に形成する。
【００３６】
次に、手摺笠木非隠蔽タイプの手摺１Ｂを施工する場合には、支柱アタッチメント４Ｂの屋外面対向部４１Ｂに横格子６を構成する格子材６１を取り付けた後、支柱アタッチメント４Ｂの下端が下笠木８３に当接するように支柱アタッチメント４Ｂをビス４９で支柱３に固定する。そして、第２見付け面部７４が屋外側に位置し、第１見付け面部７３が屋内側に位置するように、手摺笠木７を支柱３に固定する。
以上により、手摺笠木７が格子材６１の上方に位置し、手摺笠木７が屋外から見え易い手摺１Ｂの施工が完了する。
【００３７】
一方、手摺笠木隠蔽タイプの手摺１Ｃを施工する場合には、支柱アタッチメント４Ｂに４３Ｃを取り付けた後、屋外面対向部４１Ｂおよびピース状延設部材４３Ｃに格子材６１を取り付ける。そして、支柱アタッチメント４Ｂの下端が下笠木８３に当接するように、支柱アタッチメント４Ｂをビス４９で支柱３に固定して、ピース状延設部材４３Ｃを支柱３よりも上方に位置させる。そして、第１見付け面部７３が屋外側に位置し、第２見付け面部７４が屋内側に位置するように、手摺笠木７を支柱３に固定する。
以上により、手摺笠木７が格子材６１の屋内側に位置し、手摺笠木７が屋外から見え難い手摺１Ｃの施工が完了する。
【００３８】
以上のような第２実施形態によれば、第１実施形態の（１）と同様の効果に加えて、以下の効果がある。
（６）屋外面対向部４１Ｂと見込み面対向部４２とが同じ高さ寸法を有する支柱アタッチメント４Ｂを用いている。このため、手摺１Ｂにおいては、ピース状延設部材４３Ｃが取り付けられていない支柱アタッチメント４Ｂを、屋外面対向部４１Ｂおよび見込み面対向部４２の上端が支柱３の上端と略等しい高さ位置となるように支柱３に取り付けることで、手摺笠木７が屋外から見え易いデザインを実現できる。一方で、手摺１Ｃにおいては、支柱３に対する支柱アタッチメント４Ｂの取付位置を変更することなく、支柱アタッチメント４Ｂにピース状延設部材４３Ｃを取り付けるだけの簡単な方法で、手摺笠木７が格子材６１の屋内側に位置し、手摺笠木７が屋外から見え難いデザインを実現できる。
【００３９】
なお、本発明は、前記実施形態に限定されるものではなく、本発明の目的を達成できる他の構成等を含み、以下に示すような変形等も本発明に含まれる。
例えば、第２実施形態のピース状延設部材４３Ｃの代わりに、図１４および図１５に示すようなピース状延設部材４３Ｄを用いて、手摺笠木７が屋外から見え難い屋外立設物としての手摺笠木隠蔽タイプの手摺１Ｄを施工してもよい。
ピース状延設部材４３Ｄは、延設部取付部材としてのビス４９Ｄにより支柱アタッチメント４Ｂの見込み面対向部４２の上端部にそれぞれ固定される一対の被固定部４４Ｄと、当該一対の被固定部４４Ｄの上端を連結するとともに見込み面対向部４２の上端縁に沿って屋外方向に延びる連結部４５Ｄと、当該連結部４５Ｄの屋外側先端部から上方に立ち上がる立上部４６Ｄとを備えている。
そして、ピース状延設部材４３Ｄは、連結部４５Ｄで隙間Ｓの上端を塞ぐとともに、立上部４６Ｄが支柱アタッチメント４Ｂの上端から突出するように、支柱アタッチメント４Ｂに固定されている。このようにピース状延設部材４３Ｄを固定することで、隙間Ｓが密閉され、当該隙間Ｓ内に水やゴミが入ることを抑制できる。また、手摺笠木７が格子材６１の屋内側に位置することで、当該手摺笠木７が屋外から見え難くなる。
【００４０】
また、図１６および図１７に示すように、第１実施形態の手摺笠木非隠蔽タイプの手摺１Ａと同様の部材を用いて、小口隠しキャップ９が取り付けられた支柱アタッチメント４を屋内側から支柱３に固定することで、横格子６が屋内側に位置するとともに、手摺笠木７が屋外から見え易い手摺笠木非隠蔽タイプの手摺１Ｅを施工してもよい。
さらには、手摺１に下側隠蔽アタッチメント５を設けない構成としたり、手摺１，１Ａに小口隠しキャップ９を設けない構成としてもよい。
さらに、第１実施形態において、支柱３の見込み面３４に形成するビス孔の高さ位置を調節することで、手摺１または手摺１Ａの施工に対応できるようにしていたが、支柱３の見込み面３４のビス孔の高さ位置を変更せずに、支柱アタッチメント４の見込み面対向部４２形成するビス孔の位置を調節してもよい。
【００４１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４２】
１，１Ａ，１Ｂ，１Ｃ，１Ｄ…手摺（屋外立設物）、３…支柱、４，４Ｂ…支柱アタッチメント、５…下側隠蔽アタッチメント、６…横格子（手摺材）、７…手摺笠木、９…小口隠しキャップ、４３，４１Ｂ…屋外面対向部、４２…見込み面対向部、４４…屋外側延設部、６８…ビス（手摺材固定部材）。
【図１】
0005823274.tif 000002
【図２】
0005823274.tif 000003
【図３】
0005823274.tif 000004
【図４】
0005823274.tif 000005
【図５】
0005823274.tif 000006
【図６】
0005823274.tif 000007
【図７】
0005823274.tif 000008
【図８】
0005823274.tif 000009
【図９】
0005823274.tif 000010
【図１０】
0005823274.tif 000011
【図１１】
0005823274.tif 000012
【図１２】
0005823274.tif 000013
【図１３】
0005823274.tif 000014
【図１４】
0005823274.tif 000015
【図１５】
0005823274.tif 000016
【図１６】
0005823274.tif 000017
【図１７】
0005823274.tif 000018